(57)【要約】【課題】本線系統と冗長系統とが同様の構造でない場合であっても冗長性を保つことが可能な番組送出システム、サーバ装置及び番組送出方法を提供する。【解決手段】サーバ装置１０は、本線系統の機器に障害が発生した場合、ＭＰＥＧ２  ＴＳ信号をデジタル放送規格によるＴＳ形式の信号フォーマットで冗長系統へ送出する。そして、番組送出システムは、切替コントローラ７０により系統切替器６０を切替制御し、サーバ装置１０から出力された冗長系統のＩＳＤＢ−Ｔ  ＴＳ信号を後段へ導出するようにしている。【選択図】      図１
2011061624.tif 000002
【特許請求の範囲】
【請求項１】
デジタル放送規格に則った放送信号を送出し、前記放送信号を導出する本線系統に障害が発生した場合、冗長系統により導出された信号を送出する番組送出システムに用いられるサーバ装置において、
素材データを予め記録し、読出し指示に従って前記記録した素材データから読み出し対象の素材データを出力するものであり、前記本線系統に障害が発生した場合、予め設定された時間だけ前記素材データを遅らせた遅延素材データを出力する記録部と、
前記記録部からの前記素材データを、ベースバンド帯の信号に復号化して前記本線系統へ供給する復号化部と、
前記記録部からの前記遅延素材データを、前記放送信号と同一フォーマットの信号に変換して前記冗長系統へ供給する信号処理部と
を具備することを特徴とするサーバ装置。
【請求項２】
前記番組送出システムが、前記本線系統に、前記サーバ装置から供給されたベースバンド信号をＴＳ信号に符号化して出力する符号化部と、前記符号化部からのＴＳ信号を前記デジタル放送規格に則って多重化して前記放送信号として出力する多重化部とを備える場合、
前記信号処理部は、
前記記録部からの前記遅延素材データを、そのビットレートが前記ＴＳ信号のビットレートと同等となるように変換して出力するトランスコード部と、
前記トランスコード部からの信号を前記デジタル放送規格に則ってフレーム化し、前記放送信号と同一フォーマットの信号を前記冗長系統へ供給するフレーム化部と
を備えることを特徴とする請求項１記載のサーバ装置。
【請求項３】
前記番組送出システムが、前記本線系統に、前記サーバ装置からのベースバンド信号と外部から供給された外部ベースバンド信号とのいずれか一方を選択的に切り替えて導出するマスタースイッチャを備え、前記マスタースイッチャから前記外部ベースバンド信号が導出される場合、
前記記録部は、フィラー素材をさらに予め記録し、前記本線系統に障害が発生した場合、予め設定された時間だけ遅らせて前記フィラー素材を出力し、
前記信号処理部は、前記記録部からの前記フィラー素材を、前記放送信号と同一フォーマットの信号に変換して前記冗長系統へ供給することを特徴とする請求項１記載のサーバ装置。
【請求項４】
本線系統及び冗長系統から成り、デジタル放送規格に則った放送信号を送出する番組送出システムにおいて、
素材データを予め記録し、読出し指示に従って前記記録した素材データから読み出し対象の素材データをベースバンド帯の信号に変換して前記本線系統へ出力するものであり、前記本線系統に障害が発生した旨の信号を受けた場合、前記素材データを予め設定された時間だけ遅らせて前記放送信号と同一フォーマットの信号に変換し、前記冗長系統へ出力するサーバ装置と、
前記本線系統に設置され、前記サーバ装置から出力されたベースバンド信号をＴＳ信号に符号化する符号化部と、
前記本線系統に設置され、前記符号化部からのＴＳ信号を前記デジタル放送規格に則って多重化する多重化部と、
前記本線系統の多重化部からの信号又は前記冗長系統の信号の送出に選択的に切り替える切替部と、
前記本線系統に設置された符号化部及び多重化部を監視し、符号化部及び多重化部のうち少なくともいずれかに障害が発生した場合、前記サーバ装置に対して前記本線系統に障害が発生した旨の信号を出力し、前記切替部に対して前記冗長系統の信号を送出するように指示を出す制御部と
を具備することを特徴とする番組送出システム。
【請求項５】
前記サーバ装置は、
素材データを予め記録し、読出し指示に従って前記記録した素材データから読み出し対象の素材データを出力するものであり、前記本線系統に障害が発生した旨の信号を受けた場合、予め設定された時間だけ前記素材データを遅らせた遅延素材データを出力する記録部と、
前記記録部からの前記素材データを、ベースバンド帯の信号に復号化して前記本線系統へ供給する復号化部と、
前記記録部からの前記遅延素材データを、そのビットレートが前記ＴＳ信号のビットレートと同等となるように変換して出力するトランスコード部と、
前記トランスコード部からの信号を前記デジタル放送規格に則ってフレーム化し、前記放送信号と同一フォーマットの信号を前記冗長系統へ供給するフレーム化部と
を備えることを特徴とする請求項４記載の番組送出システム。
【請求項６】
前記本線系統に設置され、前記サーバ装置からのベースバンド信号と外部から供給された外部ベースバンド信号とのいずれか一方を選択的に切り替えて導出するマスタースイッチャをさらに備え、
前記サーバ装置は、フィラー素材をさらに予め記録し、前記マスタースイッチャから前記外部ベースバンド信号が導出される際に、前記本線系統に障害が発生した場合、前記フィラー素材を予め設定された時間だけ遅らせて前記放送信号と同一フォーマットの信号に変換し、前記冗長系統へ出力することを特徴とする請求項４記載の番組送出システム装置。
【請求項７】
デジタル放送規格に則った放送信号を送出し、前記放送信号を導出する本線系統に障害が発生した場合、冗長系統により導出された信号を送出する番組送出システムに用いられる番組送出方法であって、
前記本線系統に障害が発生した場合、サーバ装置において、予め記録された素材データを予め設定された時間だけ遅らせて前記デジタル放送規格に則った放送信号と同一フォーマットの信号に変換して前記冗長系統へ出力することを特徴とする番組送出方法。
【発明の詳細な説明】
【技術分野】
【０００１】
この発明は、例えば冗長構成を採り、本線系統に異常が発生した場合、冗長系統の導出に切り替える番組送出システム、そのシステムに用いられるサーバ装置及び番組送出方法に関する。
【背景技術】
【０００２】
一般的に放送局における番組送出システムでは、放送の信頼性を高めるため、送信系統を二重化している。この種の番組送出システムは、サーバ装置から出力された信号を本線系統及び冗長系統でそれぞれ処理し、通常の状態では本線系統からの信号を後段へ導出する。また、番組送出システムは、系統毎にエラーの発生を監視しており、本線系統にエラーが発生した場合には、信号の導出を冗長系統へ切り替えるようにしている。
【０００３】
ところで、番組送出システムは、系統毎にマスタースイッチャ、映像音声効果装置、エンコーダ及びＭＵＸを具備し、これらの機器により系統毎に信号の処理を行っている。すなわち、冗長構成を採る際には、これらの機器が、本線系統に加え、冗長系統にも設置される必要がある。このため、小規模な放送局では、送信系統を二重化しようとすると、コスト負担が大きくなるという問題がある。
【０００４】
なお、特許文献１では、ビデオデータにエフェクト処理を施すエフェクト装置を内蔵するビデオサーバが提案されている。
【先行技術文献】
【特許文献】
【０００５】
【特許文献１】特開２００１−１８６４１１号公報
【発明の概要】
【発明が解決しようとする課題】
【０００６】
以上のように、従来の番組送出システムでは、送信系統を二重化しようとする場合、本線系統と冗長系統とで同様の構造をとる必要があるため、コスト負担が大きくなるという問題があった。
【０００７】
この発明は上記事情によりなされたもので、その目的は、本線系統と冗長系統とが同様の構造でない場合であっても冗長性を保つことが可能な番組送出システム、サーバ装置及び番組送出方法を提供することにある。
【課題を解決するための手段】
【０００８】
上記目的を達成するため、本発明に係るサーバ装置は、デジタル放送規格に則った放送信号を送出し、前記放送信号を導出する本線系統に障害が発生した場合、冗長系統により導出された信号を送出する番組送出システムに用いられるサーバ装置において、素材データを予め記録し、読出し指示に従って前記記録した素材データから読み出し対象の素材データを出力するものであり、前記本線系統に障害が発生した場合、予め設定された時間だけ前記素材データを遅らせた遅延素材データを出力する記録部と、前記記録部からの前記素材データを、ベースバンド帯の信号に復号化して前記本線系統へ供給する復号化部と、前記記録部からの前記遅延素材データを、前記放送信号と同一フォーマットの信号に変換して前記冗長系統へ供給する信号処理部とを具備する。
【０００９】
また、本発明に係る番組送出システムは、本線系統及び冗長系統から成り、デジタル放送規格に則った放送信号を送出する番組送出システムにおいて、素材データを予め記録し、読出し指示に従って前記記録した素材データから読み出し対象の素材データをベースバンド帯の信号に変換して前記本線系統へ出力するものであり、前記本線系統に障害が発生した旨の信号を受けた場合、前記素材データを予め設定された時間だけ遅らせて前記放送信号と同一フォーマットの信号に変換し、前記冗長系統へ出力するサーバ装置と、前記本線系統に設置され、前記サーバ装置から出力されたベースバンド信号をＴＳ信号に符号化する符号化部と、前記本線系統に設置され、前記符号化部からのＴＳ信号を前記デジタル放送規格に則って多重化する多重化部と、前記本線系統の多重化部からの信号又は前記冗長系統の信号の送出に選択的に切り替える切替部と、前記本線系統に設置された符号化部及び多重化部を監視し、符号化部及び多重化部のうち少なくともいずれかに障害が発生した場合、前記サーバ装置に対して前記本線系統に障害が発生した旨の信号を出力し、前記切替部に対して前記冗長系統の信号を送出するように指示を出す制御部とを具備する。
【００１０】
また、本発明に係る番組送出方法は、デジタル放送規格に則った放送信号を送出し、前記放送信号を導出する本線系統に障害が発生した場合、冗長系統により導出された信号を送出する番組送出システムに用いられる番組送出方法であって、前記本線系統に障害が発生した場合、サーバ装置において、予め記録された素材データを予め設定された時間だけ遅らせて前記デジタル放送規格に則った放送信号と同一フォーマットの信号に変換して前記冗長系統へ出力することを特徴とする。
【００１１】
上記構成によるサーバ装置、番組送出システム及び番組送出方法では、サーバ装置は、本線系統の機器に障害が発生した場合、予め記録された素材データをデジタル放送規格の信号フォーマットで冗長系統へ送出する。そして、番組送出システムは、切替部により、本線系統の信号から冗長系統の信号へ送出する系統を切り替える。これにより、番組送出システムは、冗長系統に本線系統と同様の機器が設置されていなくても、本線系統の機器の障害による信号送出の断を防ぐことが可能となる。
【発明の効果】
【００１２】
この発明によれば、本線系統と冗長系統とが同様の構造でない場合であっても冗長性を保つことが可能な番組送出システム、サーバ装置及び番組送出方法を提供することができる。
【図面の簡単な説明】
【００１３】
【図１】本発明の一実施形態に係る番組送出システムの機能構成を示すブロック図である。
【図２】図１の番組送出システムにおけるサーバ装置の機能構成を示すブロック図である。
【図３】図１の切替コントローラの動作を示すフローチャートである。
【発明を実施するための形態】
【００１４】
以下、図面を参照しながら本発明に係るサーバ装置、番組送出システム及び番組送出方法の実施の形態について詳細に説明する。
【００１５】
図１は、本発明の一実施形態に係る番組送出システムの機能構成を示すブロック図である。図１における番組送出システムは、サーバ装置１０、マスタースイッチャ２０、効果装置３０、ＨＤ用エンコーダ４１、ワンセグ用エンコーダ４２、データ放送用エンコーダ４３、ＭＵＸ５０、系統切替器６０及び切替コントローラ７０を具備する。
【００１６】
図２は、本発明の一実施形態に係る番組送出システムにおけるサーバ装置１０の機能構成を示すブロック図である。図２におけるサーバ装置１０は、ストレージ１１、デコーダ１２、トランスコード部１３及びフレーム化部１４を備える。
【００１７】
ストレージ１１は、特許請求の範囲に示す記録部の一実施形態である。ストレージ１１には、ＭＰＥＧ２−ＴＳ等の符号化形式で符号化された素材データが記録されている。ここで、ストレージ１１に記録される素材データには、ＨＤ素材データ及びワンセグ用素材データ等がある。
【００１８】
ストレージ１１は、読み出し指示を受けると、記録している素材データのうち読み出し指示の対象となる素材データを５０〜１００Ｍｂｐｓのビットレートで読み出す。読み出された素材データは、ビットレート５０〜１００ＭｂｐｓのＭＰＥＧ２  ＴＳ信号としてデコーダ１２へ供給される。また、ストレージ１１は、後述する切替コントローラ７０からの指示を受けると、所定の遅延時間が経過した後に素材データを読み出し、ビットレート５０〜１００ＭｂｐｓのＭＰＥＧ２  ＴＳ信号としてトランスコード部１３へ出力する。ここで、所定の遅延時間は、本線系統の信号と冗長系統の信号とが同一タイミングで系統切替器６０へ到達するように予め設定されるものである。すなわち、遅延時間は、デコーダ１２、マスタースイッチャ２０、効果装置３０、ＨＤ用エンコーダ４１、ワンセグ用エンコーダ４２、データ放送用エンコーダ４３及びＭＵＸでの処理時間に基づいて設定される。
【００１９】
デコーダ１２は、特許請求の範囲に示す復号化部の一実施形態である。デコーダ１２は、５０〜１００Ｍｂｐｓのビットレートで出力されたＭＰＥＧ２  ＴＳ信号を復号化し、ベースバンド信号に変換する。ベースバンド信号は、本線系統のマスタースイッチャ２０へ供給される。
【００２０】
トランスコード部１３は、５０〜１００Ｍｂｐｓのビットレートで出力されたＭＰＥＧ２  ＴＳ信号に対してトランスコード処理を施すことで、ビットレートを放送送出時のビットレートに合わせる。この放送送出時のビットレートとは、ＭＰＥＧ２  ＴＳ信号がＨＤ用エンコーダ４１及びワンセグ用エンコーダ４２から出力される際のビットレートをいう。これにより、ストレージ１１からのＭＰＥＧ２  ＴＳ信号のうち、ＨＤ素材データに由来するＭＰＥＧ２  ＴＳ信号はビットレート１４Ｍｂｐｓ程度の信号へ、ワンセグ用素材データに由来するＭＰＥＧ２  ＴＳ信号はビットレート４００ｋｂｐｓ程度の信号へレート変換される。なお、トランスコード処理には、映像の解像度変換及びフレームスキップ等の手法がある。
【００２１】
フレーム化部１４は、トランスコード部１３で放送送出時のビットレートにレート変換されたＭＰＥＧ２  ＴＳ信号をＩＳＤＢ−Ｔ（Integrated Services Digital Broadcasting for Terrestrial）方式に則ってＩＳＤＢ−Ｔ  ＴＳ信号に変換する。このとき、フレーム化部１４は、ＭＰＥＧ２  ＴＳ信号の１パケット毎に１６ｂｙｔｅのＮｕｌｌを付加することで、１パケットが１８８ｂｙｔｅであるＭＰＥＧ２  ＴＳ信号を１パケットが２０４ｂｙｔｅのＩＳＤＢ−Ｔ  ＴＳ信号へ変換する。そして、フレーム化部１４は、システムクロックに基づいて、ＩＳＤＢ−Ｔ  ＴＳ信号にＮｕｌｌパケットを挿入することで、ＩＳＤＢ−Ｔ  ＴＳ信号のビットレートを３２．５０８（＝（５１２×４）／４）Ｍｂｐｓに変換する。なお、ここでＩＳＤＢ−Ｔ  ＴＳ信号のビットレートである３２．５０８Ｍｂｐｓは、後段の送信機においてＯＦＤＭ変調を行うのに、ＡＲＩＢ(Association of Radio Industries and Businesses)規格で規定されたビットレートである。
【００２２】
また、フレーム化部１４は、ＭＰＥＧ２  ＴＳ信号をＩＳＤＢ−Ｔ  ＴＳ信号へ変換する際、ＨＤ素材データ及びワンセグ用素材データに由来する信号をシステムクロックとフレーム同期信号とに基づいて、フレーム化する。このとき、多重フレームのパターンは、ＩＳＤＢ−Ｔ規格に基づいて予め設定されている。なお、フレーム化部１４について以上説明した機能は、ＭＵＸ５０でハードウェア処理される機能と同様である。しかし、サーバ装置においては、多重フレームのパターンが予め設定されていることと、本線系統とのタイミング調整のために処理時間に多少余裕があることとから、ソフトウェア実装による機能実現で問題はない。
【００２３】
マスタースイッチャ２０は、例えば自動番組制御装置（ＡＰＣ）（図示せず）等の外部の制御装置からの制御信号を受け、接続系統を切り替える。例えば、マスタースイッチャ２０は、番組の本編が放送される場合はサーバ装置１０からのベースバンド信号を効果装置３０へ導出し、ＣＭが放送される場合はＣＭが記録されたサーバからのベースバンド信号を効果装置３０へ導出する。
【００２４】
効果装置３０は、マスタースイッチャ２０から導出されたベースバンド信号に対して映像及び音声等の効果を付加する。効果装置３０は、効果を付加したベースバンド信号のうち、ＨＤ素材のベースバンド信号をＨＤ用エンコーダ４１へ出力し、ワンセグ用素材をワンセグ用エンコーダ４２へ出力し、データ放送用素材をデータ放送用エンコーダ４３へ出力する。
【００２５】
ＨＤ用エンコーダ４１、ワンセグ用エンコーダ４２及びデータ放送用エンコーダ４３は、特許請求の範囲に示す符号化部の一実施形態である。ＨＤ用エンコーダ４１は、効果装置３０からのベースバンド信号を放送送出時のビットレートである１４Ｍｂｐｓ程度のＭＰＥＧ２  ＴＳ信号に符号化する。ワンセグ用エンコーダ４２は、効果装置３０からのベースバンド信号を放送送出時のビットレートである４００ｋｂｐｓ程度のＭＰＥＧ２  ＴＳ信号に符号化する。データ放送用エンコーダ４３は、効果装置３０からのベースバンド信号を放送送出時のビットレートのＭＰＥＧ２  ＴＳ信号に符号化する。ＨＤ用エンコーダ４１、ワンセグ用エンコーダ４２及びデータ放送用エンコーダ４３は、変換後のＭＰＥＧ２  ＴＳ信号をＭＵＸ５０へ出力する。
【００２６】
ＭＵＸ５０は、特許請求の範囲に示す多重化部の一実施形態である。ＭＵＸ５０は、放送送出時のビットレートにレート変換されたＭＰＥＧ２  ＴＳ信号をＩＳＤＢ−Ｔ方式に則ってＩＳＤＢ−Ｔ  ＴＳ信号に変換する。このとき、ＭＵＸ５０は、ＭＰＥＧ２  ＴＳ信号の１パケット毎に１６ｂｙｔｅのＮｕｌｌを付加することで、１パケットが１８８ｂｙｔｅであるＭＰＥＧ２  ＴＳ信号を１パケットが２０４ｂｙｔｅのＩＳＤＢ−Ｔ  ＴＳ信号へ変換する。そして、ＭＵＸ５０は、変換したＩＳＤＢ−Ｔ  ＴＳ信号にシステムクロックに基づいてＮｕｌｌパケットを挿入することで、ＩＳＤＢ−Ｔ  ＴＳ信号のビットレートを３２．５０８（＝（５１２×４）／４）Ｍｂｐｓに変換する。
【００２７】
また、ＭＵＸ５０は、ＭＰＥＧ２  ＴＳ信号をＩＳＤＢ−Ｔ  ＴＳ信号へ変換する際、ＨＤ素材、ワンセグ用素材及びデータ放送用素材に由来する信号をシステムクロックとフレーム同期信号とに基づいて、フレーム化する。このとき、多重フレームのパターンは、ＩＳＤＢ−Ｔ規格に基づいて予め設定されている。
【００２８】
系統切替器６０は、特許請求の範囲に示す切替部の一実施形態である。系統切替器６０は、ＭＵＸ５０から供給されるＩＳＤＢ−Ｔ  ＴＳ信号及び、サーバ装置１０のフレーム化部１４から供給されるＩＳＤＢ−Ｔ  ＴＳ信号のうち、いずれか一方を切替コントローラ７０の指示に基づいて後段の送信機（図示せず）へ導出する。
【００２９】
切替コントローラ７０は、特許請求の範囲に示す制御部の一実施形態である。切替コントローラ７０は、本線系統に設置されるマスタースイッチャ２０、効果装置３０、ＨＤ用エンコーダ４１、ワンセグ用エンコーダ４２、データ放送用エンコーダ４３及びＭＵＸで異常が発生したか否かを監視する。切替コントローラ７０は、これらの機器に異常がない場合には、本線系統のＩＳＤＢ−Ｔ  ＴＳ信号を導出するように系統切替器６０に対して指示を与える。また、切替コントローラ７０は、本線系統の機器に異常を発見した場合、ＩＳＤＢ−Ｔ  ＴＳ信号を出力するようにサーバ装置１０に対して指示を与え、冗長系統のＩＳＤＢ−Ｔ  ＴＳ信号を導出するように系統切替器６０に対して指示を与える。
【００３０】
次に、上記構成における動作を説明する。図３は、本発明の一実施形態に係る切替コントローラ７０の動作を示すフローチャートである。
【００３１】
切替コントローラ７０は、本線系統に設置されるマスタースイッチャ２０、効果装置３０、ＨＤ用エンコーダ４１、ワンセグ用エンコーダ４２、データ放送用エンコーダ４３及びＭＵＸで異常が発生したか否かを判断する（ステップ３１）。切替コントローラ７０は、マスタースイッチャ２０、効果装置３０、ＨＤ用エンコーダ４１、ワンセグ用エンコーダ４２、データ放送用エンコーダ４３及びＭＵＸの少なくともいずれかで異常が発生した場合（ステップ３１のＹｅｓ）、サーバ装置１０へＩＳＤＢ−Ｔ  ＴＳ信号を出力するように指示を出し（ステップ３２）、系統切替器６０へ冗長系統へ導出を切り替えるように指示を出す（ステップ３３）。これにより、サーバ装置からＩＳＤＢ−Ｔ  ＴＳ信号が出力され、本線系統のＩＳＤＢ−Ｔ  ＴＳ信号から冗長系統のＩＳＤＢ−Ｔ  ＴＳ信号へ導出が切り替えられることとなる。
【００３２】
以上のように、上記一実施形態では、サーバ装置１０は、本線系統の機器に障害が発生した場合には、トランスコード部１３及びフレーム化部１４により、ＭＰＥＧ２  ＴＳ信号をデジタル放送規格によるＴＳ形式の信号フォーマットで冗長系統へ送出する。そして、番組送出システムは、切替コントローラ７０により系統切替器６０を切替制御し、サーバ装置１０から出力された冗長系統のＩＳＤＢ−Ｔ  ＴＳ信号を後段へ導出するようにしている。これにより、番組送出システムは、本線系統の機器の障害による信号送出の断を防ぐことが可能となる。すなわち、サーバ装置１０に簡易放送ＴＳ送出機能を設け、この信号送出系統を冗長系統とすることで、マスタースイッチャ２０、効果装置３０、エンコーダ４１〜４３及びＭＵＸ５０が１系等分しかない場合であっても、機器障害時に放送送出が停止することを防ぐことが可能となる。
【００３３】
したがって、本発明に係るサーバ装置及び番組送出システムは、本線系統と冗長系統との構造が同様でない場合であっても冗長性を保つことができ、番組送出を継続することができる。すなわち、小規模な放送局において、放送信号の送信系統を二重化しようとする場合であっても、コスト負担が低減されることとなる。
【００３４】
なお、この発明は上記一実施形態に限定されるものではない。例えば、ＡＰＣによりマスタースイッチャ２０が制御されることにより、スタジオ出し等、サーバ装置１０以外からのベースバンド信号が本線系統で処理され、系統切替器６０から導出される場合がある。このような場合、サーバ装置１０のストレージ１１に予めフィラー用素材データを記録させる。切替コントローラ７０は、本線系統の機器に障害が発生した場合、このフィラー用素材データを冗長系統へ出力するようにサーバ装置１０に対して指示を与え、系統切替器６０に対して切替制御を行うようにしても良い。これにより、サーバ装置１０に記録されていない映像の放送中に本線系統に障害が発生した場合でも、冗長系統のフィラー用素材が放送されることとなり、放送の断を防ぐことが可能となる。
【００３５】
また、上記一実施形態では、サーバ装置１０のストレージ１１にはＨＤ素材データ及びワンセグ用素材データが記録されている例について説明したが、ストレージ１１に記録される素材はこれらに限定される訳ではない。例えば、ストレージ１１には音声データが記録されていてもかまわない。このとき、音声データはストレージ１１に非圧縮で記録されており、トランスコード部１３は、音声データがストレージ１１から読み出されると、この音声データをＭＰＥＧ２  ＡＡＣ符号化することで、ＴＳ信号のレートを低減し、放送送出時のビットレートに合わせるようにする。
【００３６】
また、上記一実施形態では、ＨＤ用エンコーダ４１、ワンセグ用エンコーダ４２及びデータ放送用エンコーダ４３においてベースバンド信号をＭＰＥＧ２  ＴＳ信号に変換する例について説明したが、エンコーダ４１〜４３における符号化方式はＭＰＥＧ２に限定されるわけではない。例えば、エンコーダ４１〜４３においてベースバンド信号がＨ．２６４方式により符号化される場合であっても同様に実施可能である。
【００３７】
また、上記一実施形態では、ＭＰＥＧ２  ＴＳ信号がＭＵＸ５０及びフレーム化部１４でＩＳＤＢ−Ｔ  ＴＳ信号に変換される例について説明したが、ＭＵＸ５０及びフレーム化部１４で変換される信号の規格はＩＳＤＢ−Ｔ規格に限定されるものではない。例えば、ＩＳＤＢ−Ｓ等の他のデジタル放送規格であっても同様に実施可能である。
【００３８】
また、上記一実施形態では、サーバ装置１０がトランスコード部１３及びフレーム化部１４を備える例について説明したが、本発明はこれに限定される訳ではない。すなわち、サーバ装置１０が、ストレージ１１からのＭＰＥＧ２  ＴＳ信号に対してトランスコード処理を施して処理後の信号をＩＳＤＢ−Ｔ  ＴＳ信号に変換する信号処理部を備えていても同様に実施可能である。
【００３９】
さらに、この発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００４０】
１０…サーバ装置
１１…ストレージ
１２…デコーダ
１３…トランスコード部
１４…フレーム化部
２０…マスタースイッチャ
３０…効果装置
４１…ＨＤ用エンコーダ
４２…ワンセグ用エンコーダ
４３…データ放送用エンコーダ
５０…ＭＵＸ
６０…系統切替器
７０…切替コントローラ
【図１】
2011061624.tif 000003
【図２】
2011061624.tif 000004
【図３】
2011061624.tif 000005